(57)【要約】【課題】流量精度や噴霧特性のばらつきの抑制と、噴霧の指向性を維持しつつ、燃料噴霧の微粒化を向上するようにした燃料噴射弁を得る。【解決手段】噴孔プレート１１の中央部に上流側が窪んだ薄肉部１１ｃとその外周側にシート角βより大きな角度αのテーパ面１１ｄを設けるとともに、弁座シート部１０ａの下流側へ延長した仮想円錐面とテーパ面１１ｄが交差して形成した仮想円１１ｅにかかるように噴孔入口部を配置し、かつ噴孔１２の出口部は入口部に対して径方向外側に配置した。【選択図】図２
2010077865.tif 000002
【特許請求の範囲】
【請求項１】
弁座を開閉する弁体を有し、制御装置より動作信号を受けて前記弁体を動作させ、弁座下流側に装着された噴孔プレートに複数設けられた噴孔から燃料を噴射する燃料噴射弁であって、次の要件を備えたことを特徴とする燃料噴射弁。
（１）前記噴孔プレートの上流側端面の一部を窪ませて前記弁体の軸心を中心に径方向に広がる薄肉部を設ける。
（２）前記薄肉部とその外周側の噴孔プレート厚までを繋ぐ部分にテーパ面を設ける。
（３）弁座シート部の下流側へ延長した仮想円錐面と前記テーパ面が交差して１つの仮想円を形成するように、前記テーパ面の角度を前記弁座のシート角より大きくする。
（４）前記噴孔の入口部を前記テーパ面上の前記仮想円にかかるように配置する。
（５）前記噴孔の出口部を入口部に対して径方向外側に配置する。
（６）前記弁体の開弁状態における前記弁体の軸心部の前記弁体先端と前記薄肉部の垂線距離ｈが、噴孔入口径ｄに対し、ｈ＜ｄの関係を有する。
【請求項２】
前記薄肉部に前記弁体先端部とほぼ平行に下流側へ突出する突部を設けたことを特徴とする請求項１に記載の燃料噴射弁。
【請求項３】
前記突部は弁座軸に対してほぼ軸対称で、かつ、円弧状の断面を有するとともに、前記弁座と前記噴孔プレートの溶接部を前記弁座軸に対してほぼ軸対称としたことを特徴とする請求項２に記載の燃料噴射弁。
【請求項４】
前記薄肉部を平坦面とし、かつ前記平坦部にほぼ平行な平坦部を前記弁体先端部に設け、その最外径が前記噴孔入口部の全噴孔の内接円より小さいことを特徴とする請求項１に記載の燃料噴射弁。
【請求項５】
前記薄肉部および前記テーパ面をコイニングにより成型したことを特徴とする請求項１から請求項４の何れか一項に記載の燃料噴射弁。
【請求項６】
前記弁体の先端部にボールを装着し、前記ボール外周部に前記弁体の軸心に対して平行な第１の平面と前記第１の平面に対し直交し、同じく前記弁体の軸心に対して平行な第２の平面により形成した複数の溝を設けたことを特徴とする請求項１から請求項５の何れか一項に記載の燃料噴射弁。
【発明の詳細な説明】
【技術分野】
【０００１】
この発明は、自動車の内燃機関などへの燃料供給に使用される燃料噴射弁に係り、特に、噴霧特性における微粒化の促進を図るとともに、噴霧形状のばらつきを抑制する燃料噴射弁に関するものである。
【背景技術】
【０００２】
近年、自動車などの排出ガス規制が強化される中、燃料噴射弁から噴射される燃料噴霧噴射方向の自由度および微粒化の向上が求められている。特に、燃料噴霧の微粒化については各種の検討がなされており、例えば、特開平２００７−１００５１５号公報（以下、特許文献１と称す。）に開示されているような燃料噴射弁がある。
【０００３】
特許文献１には、複数の噴孔を有する燃料噴射弁が開示されており、この燃料噴射弁には、弁体の先端部に噴孔プレートとほぼ平行な平坦面が形成されており、弁座シート部下流側の内壁の延長と噴孔プレートの上流側平面が交差する仮想包絡線の内側で、かつ、弁体先端部の平坦面より外側に噴孔の入口部が配置されている。そして、噴孔入口径ｄに対して、開弁状態における弁体先端部に形成された平坦面と噴孔プレートの上流側平面の垂線距離ｈが、ｈ＜ｄの関係を有するとともに、噴孔が噴孔プレートの板厚方向に対して所定角度傾斜して形成されている（例えば、特許文献１参照）。
【０００４】
また、他の従来技術として図７に示すような燃料噴射弁がある。図７に示す燃料噴射弁は、複数の噴孔７０を有し、弁体７１の先端部と対向する噴孔プレート７２の中央部に、弁体７１の先端部とほぼ平行に下流側に突出する突部７２ａが形成されている。そして、この燃料噴射弁は、弁座７３のシート部７４における下流側内壁の延長と噴孔プレート７２の上流側面が交差する仮想包絡線上で、かつ、突部７２ａより外側に噴孔７０の入口部が配置され、噴孔入口径ｄに対して、開放状態における弁体７１の先端部と噴孔プレート７２の上流側面の最短距離ｈが、ｈ＜ｄの関係に構成されている。さらに、噴孔７０は、噴孔プレート７２の板厚方向に対して所定角度傾斜させて構成されている。
【０００５】
【特許文献１】特開平２００７−１００５１５号公報（段落００１３、図２）
【発明の開示】
【発明が解決しようとする課題】
【０００６】
前記従来の燃料噴射弁によれば、何れも弁体先端と弁座および噴孔プレートで囲まれたキャビティ内における燃料の流れは、噴孔プレートに到達してから弁体先端の平坦部、あるいは噴孔プレートの突部まではキャビティ流路面積が急激に縮小するため、前記仮想包絡線の中心方向への流れ（図７の符号Ｌ１）が強化される。しかも、弁体先端部と噴孔プレートの最短距離ｈ＜噴孔入口径ｄの関係により、噴孔間を通過して噴孔プレート中心で対向する流れによってＵターンして噴孔に向かう流れ（図７の符号Ｌ２）を抑制することによって、一方向からの噴孔への流入が強化される。これによって、噴孔入口部での流れ剥離により液膜が形成され、燃料は噴孔壁に押し付けられることで噴孔内の流れは噴孔の曲率に沿った流れとなり、噴孔内で空気との混合を促進しつつ、噴孔出口から三日月状の液膜として拡散させ、過度な噴霧拡散を抑制しつつ微粒化を促進することが可能であるとしている。
【０００７】
しかし、図７で示すように、弁座７３のシート部７４に沿って流れてきた燃料が、噴孔７０の入口部に突入後、噴孔壁に押し付けられて噴孔７０の曲率に沿った流れに変換されるとき、噴孔７０の内部で三日月状の液膜を形成するには最適な噴孔長さが必要で、長すぎると燃料は噴孔７０の内部を一周して筋状噴霧となり、短すぎても噴孔７０の曲率に沿った流れへの変換が十分でなく、筋状噴霧となってしまう。
【０００８】
また、弁体７１の軸心と噴孔７０の中心を通る断面において、噴孔７０の径方向内側を通り、弁座７３のシート部７４と平行な第１平行線７５と、同じく噴孔７０の径方向外側を通り、弁座７３のシート部７４と平行な第２平行線７６の距離は、弁座７３のシート部７４を下流側に延長した仮想円錐面と噴孔７０が配置されている噴孔プレート７２の平面とのなす角度が９０°のとき最大となり、０°のとき０である。
【０００９】
前記従来の燃料噴射弁の構造では、噴孔７０の入口部は弁体７１の軸心に直交する平面上に配置されているため、弁座７３のシート部７４と噴孔７０の配置面とのなす角は大きく、第１平行線７５と第２平行線７６の距離も大きい。そのため、噴孔７０の入口部の径方向外側を通過して噴孔壁の径方向内側に衝突する燃料と、噴孔７０の入口部の径方向内側に衝突した燃料とでは、噴孔７０の出口まで距離が異なり、両方に対して微粒化に最適な噴孔長さが存在しない構造となっている。
【００１０】
ところで、噴孔プレートに複数設けられた噴孔から燃料を噴射する燃料噴射弁では、大流量仕様への適用のため、噴孔径を大きくする必要があり、噴孔の入口部における径方向内側と外側の距離が大きくなってしまう。また、大きい噴射角を実現するためには噴孔の傾斜角を大きくする必要があり、噴孔の入口形状の扁平率が大きくなり、噴孔の入口部における径方向内側と外側の距離が大きくなってしまう。
【００１１】
前記従来の燃料噴射弁の構造では、図７のように、噴孔７０の入口部は弁体７１の軸心に直交する平面上に配置されているため、大流量仕様や噴射角大の仕様に適用する場合、流量や噴霧仕様の成り行きで、第１平行線７５と第２平行線７６の距離が大きくなり、噴霧粒径が悪化する問題を抱えている。
【００１２】
また、噴孔７０の傾斜角を大きくすると、プレスによる噴孔７０の抜き性において、抜き方向で入口側のダレやカエリ、および抜き方向で出口側の破断面が増大するため、噴霧ばらつきや流量ばらつきが大きくなる問題がある。
【００１３】
一方、噴孔プレートに複数設けられた噴孔から燃料を噴射する燃料噴射弁では、噴孔プレートを弁座に溶接すると溶接部が冷えて固まる際に収縮するが、溶接部より内側の噴孔プレートは放射方向に引っ張られ、弁座には残留応力が発生する。このため、噴孔プレート溶接後における弁座のシート部の真円度が低下し、弁油密を悪化させることが知られている。前記残留応力を緩和するためには、噴孔プレートの材料硬度を低下することが効果的であるが、プレスでの噴孔抜き性が悪化するため、噴霧、流量ばらつきの低減と弁油密性の向上が両立できない問題も抱えている。
【００１４】
この発明は、前記のような従来装置の課題を解決するためになされたもので、流量精度や噴霧特性のばらつきの抑制と、噴霧の指向性を維持しつつ、燃料噴霧の微粒化を向上するようにした燃料噴射弁を得ることを目的とするものである。
【課題を解決するための手段】
【００１５】
この発明に係る燃料噴射弁は、弁座を開閉する弁体を有し、制御装置より動作信号を受けて前記弁体を動作させ、弁座下流側に装着された噴孔プレートに複数設けられた噴孔から燃料を噴射する燃料噴射弁であって、次の要件を備えたものである。
（１）前記噴孔プレートの上流側端面の一部を窪ませて前記弁体の軸心を中心に径方向に広がる薄肉部を設ける。
（２）前記薄肉部とその外周側の噴孔プレート厚までを繋ぐ部分にテーパ面を設ける。
（３）弁座シート部の下流側へ延長した仮想円錐面と前記テーパ面が交差して１つの仮想円を形成するように、前記テーパ面の角度を前記弁座のシート角より大きくする。
（４）前記噴孔の入口部を前記テーパ面上の前記仮想円にかかるように配置する。
（５）前記噴孔の出口部を入口部に対して径方向外側に配置する。
（６）前記弁体の開弁状態における前記弁体の軸心部の前記弁体先端と前記薄肉部の垂線距離ｈが、噴孔入口径ｄに対し、ｈ＜ｄの関係を有する。
【発明の効果】
【００１６】
この発明に係る燃料噴射弁によれば、噴霧特性における微粒化の促進を図るとともに、噴霧形状のばらつきを抑制することができる。
【発明を実施するための最良の形態】
【００１７】
以下、添付の図面を参照して、この発明に係る燃料噴射弁について好適な実施の形態を説明する。なお、これらの実施の形態によりこの発明が限定されるものではない。
【００１８】
実施の形態１．
図１は、この発明の実施の形態１に係る燃料噴射弁の断面図であり、図２は、この発明の実施の形態１に係る燃料噴射弁の先端部の詳細断面図である。
図１において、燃料噴射弁１は、ソレノイド装置２、磁気回路のヨーク部分であるハウジング３、磁気回路の固定鉄心部分であるコア４、コイル５、磁気回路の可動鉄心部分であるアマチュア６、および弁装置７を備えている。なお、弁装置７は、弁体８と弁本体９、および弁座１０により構成されている。
【００１９】
弁本体９は、コア４の外径部に圧入後、溶接されており、アマチュア６は弁体８に圧入後、溶接されている。弁座１０には、噴孔プレート１１が溶接部１１ａで弁座下流側に結合された状態で装着され、弁本体９に挿入後、溶接部１１ｂで結合されている。噴孔プレート１１には、図２に示されるように、板厚方向に傾斜して貫通する複数の噴孔１２が設けられている。
【００２０】
次に、図１の燃料噴射弁の開閉動作について説明する。
内燃機関の制御装置（図示せず）より燃料噴射弁１の駆動回路（図示せず）に動作信号が送られると、燃料噴射弁１のコイル５に電流が通電され、アマュア６、コア４、ハウジング３、弁本体９で構成される磁気回路に磁束が発生し、アマチュア６がコア４側へ吸引される。これによって、アマチュア６と一体構造である弁体８が弁座シート部１０ａ（図２参照）から離れて、弁体８と弁座シート部１０ａとの間に隙間が形成される。そして、図２に示すように、燃料Ｌ１、Ｌ２は、弁体８の先端部に溶接されたボール１３の面取り部１３ａから弁体８と弁座シート部１０ａとの隙間を通って、複数の噴孔１２からエンジン吸気管に噴射される。
【００２１】
内燃機関の制御装置より燃料噴射弁１の駆動回路に動作の停止信号が送られると、コイル５の電流の通電が停止し、磁気回路中の磁束が減少して弁体８を閉弁方向に押している圧縮ばね１４により、弁体８と弁座シート部１０ａ間の隙間は閉じ状態となり、燃料噴射が終了する。
【００２２】
弁体８は、アマチュア６の側面６ａ、ガイド１３ｂにより弁本体９のガイド部と摺動し、開弁状態ではアマチュア６の上面６ｂがコア４の下面と当接する。ガイド１３ｂは、弁座面に対する弁体８の径方向の非同軸度（振れ）を規制する手段であるので、クリアランスはなるべく小さく設定されるのが好ましく、本実施の形態では、弁体８の耐久磨耗を許容限度以内とするため、１０μｍ以下（片側隙間５μｍ以下）としている。
【００２３】
次に、この発明の実施の形態１に係る燃料噴射弁の要部の構成および作用について、図２を用いて説明する。
実施の形態１に係る燃料噴射弁１は、図２に示すように、噴孔プレート１１の上流側端面の一部を窪ませることで、弁体８の軸心を中心に径方向に広がる薄肉部１１ｃを設け、かつ、噴孔プレート１１の上流側端面において、薄肉部１１ｃとその外周側の噴孔プレート１１の上流側端面までを繋ぐ部分にテーパ面１１ｄを設けている。さらに、弁座シート部１０ａの下流側へ延長した仮想円錐面１０ｂとテーパ面１１ｄが交差して１つの仮想円１１ｅを形成するように、テーパ面１１ｄの角度αを弁座シート部１０ａのシート角βより大きくしている。
【００２４】
また、噴孔１２の出口部は入口部に対して径方向外側に配置され、かつ、噴孔１２の入口部は、テーパ面１１ｄ上の仮想円１１ｅにかかるように配置されており、開弁状態における弁体８の軸心部の先端と薄肉部１１ｃとの垂線距離ｈが、噴孔入口径ｄに対し、ｈ＜ｄの関係を有している。
【００２５】
実施の形態１に係る燃料噴射弁は前記のように構成されているので、噴孔１２の入口部での流れ剥離により液膜１５を形成し、燃料が噴孔壁１２ａに押し付けられる。そして、噴孔１２内の燃料の流れが噴孔１２の曲率に沿った流れ１６となり、噴孔１２内で空気１７との混合を促進しつつ、噴孔出口から三日月状の液膜１８として拡散し、微粒化を促進することになる。
【００２６】
また、噴孔プレート１１にテーパ面１１ｄを設けたことにより、流量仕様や噴霧仕様に関係なく、弁体８の軸心と噴孔１２の中心を通る断面において、噴孔１２の入口部の径方向内側１２ｂを通り、弁座シート部１０ａと平行な第１平行線１９と、同じく噴孔１２の入口部の径方向外側１２ｃを通り、弁座シート部１０ａと平行な第２平行線２０との間の距離を小さくすることができる。よって、燃料が噴孔１２の入口部の径方向外側１２ｃを通過して噴孔壁の径方向内側１２ｄに衝突する地点と、噴孔１２の入口部の径方向内側１２ｂとの距離は小さく、噴孔１２の入口部の径方向外側１２ｃと、噴孔１２の入口部の径方向内側１２ｂのそれぞれを通過した燃料の微粒化に最適な噴孔長さを近づけることができる。このため、流量仕様や噴霧仕様に関係なく、噴霧の微粒化が可能である。
【００２７】
さらに、噴孔１２の傾斜角が大きい仕様の噴孔プレス抜き性においても、テーパ面１１ｄに対する噴孔傾斜角はテーパ面１１ｄのない従来技術に対して小さくなるため、噴孔１２の入口側から出口側へプレスする場合は、噴孔１２の入口側のダレやカエリ、噴孔１２の出口側から入口側へプレスする場合は、噴孔１２の入口側の破断面が減少し、噴霧ばらつきや流量ばらつきを小さくできる効果がある。
【００２８】
実施の形態２．
次に、この発明の実施の形態２に係る燃料噴射弁について説明する。図３は、実施の形態２に係る燃料噴射弁の断面図を示している。
図３において、実施の形態２に係る燃料噴射弁３０は、噴孔プレート３１に設けられた薄肉部３１ｃに、弁体８の先端部とほぼ平行に下流側へ突出する突部３２を設けたものである。なお、その他の構成は実施の形態１と同様であり、同一符号を付すことにより、その説明を省略する。
【００２９】
実施の形態２に係る燃料噴射弁は、上記構成によって弁座シート部１０ａから弁座１０の下流側端面までの距離Ｈを小さくすることが可能となり、弁座シート部１０ａの下流側へ延長した仮想円錐面１０ｂとテーパ面１１ｄが交差して形成する仮想円１１ｅをさらに大きくすることができる。なお、弁座シート部１０ａから弁座１０の下流側端面までの距離Ｈを小さくできる理由は次のとおりである。即ち、弁座シート部１０ａから弁座１０の下流側端面までの距離Ｈは、弁体８の閉弁時に弁体８の先端部と噴孔プレート３１が接触しない範囲までしか小さくできないが、実施の形態２に係る燃料噴射弁３０のように、突部３２を設けることにより、弁体８の先端部と噴孔プレート３１の接触を回避できるため、前記距離Ｈを小さくできることになる。
【００３０】
これにより噴孔１２をより径方向外側へ配置することが可能となり、大流量仕様への適用において噴孔径を大きくしても各噴孔１２間の距離が接近しないように配置できる。従って、各噴孔１２から噴射される噴霧同士の干渉も抑制することができ、大流量化により噴霧の微粒化が阻害されることはない。
【００３１】
また、高温負圧の下ではキャビティ内の燃料の一部が蒸発して気液二層流となり、これにより流量低下や噴霧変化を引き起こすが、本実施の形態によれば、弁座シート部１０ａから弁座１０の下流側端面までの距離Ｈを小さくしたことにより、閉弁時における弁体８、弁座１０、噴孔プレート３１で囲まれる容積（デッドボリューム）を小さくすることができるため、高温負圧の下におけるデッドボリューム内の燃料蒸発量も少なく、雰囲気変化に伴う流量特性（静的流量、動的流量）および噴霧特性（噴霧形状、噴霧粒径）の変化量を抑制する効果がある。
【００３２】
実施の形態３．
次に、この発明の実施の形態３に係る燃料噴射弁について説明する。図４は、実施の形態３に係る燃料噴射弁の断面図を示している。
実施の形態３に係る燃料噴射弁４０は、噴孔プレート４１に薄肉部４１ｃを設け、この薄肉部４１ｃに弁座軸４２に対してほぼ軸対称で、かつ、円弧状の断面を有する突部４３を設けるとともに、弁座１０と噴孔プレート４１の溶接部１１ａも弁座軸４２に対してほぼ軸対称としたものである。なお、その他の構成は実施の形態１と同様であり、同一符号を付すことにより、その説明を省略する。
【００３３】
実施の形態３に係る燃料噴射弁によれば、噴孔プレート４１を弁座１０に溶接したのち、溶接部１１ａが冷えて固まる際に、図４中の矢印Ａで示す方向に収縮するため、溶接部１１ａより内側の噴孔プレート４１は放射方向に引っ張られて突部４３の高さが小さくなる方向に変形する。
【００３４】
この変形によって溶接後に弁座１０に発生する残留応力は緩和されるため、噴孔プレート４１に突部４３がない場合に比べて、噴孔プレート４１の溶接による弁座シート部１０ａの真円度の低下を軽減し、弁油密の悪化を抑制する効果がある。しかも、噴孔１２は突部４３の外周側に配置しているため、噴孔１２の変形は燃料噴射弁４０の軸心に対して放射方向のみに限定されるため、溶接後の噴孔プレート４１の変形による噴孔傾斜角の変化は起こらず、溶接ばらつきによる噴射方向のばらつきを起こすこともない。
【００３５】
実施の形態４．
次に、この発明の実施の形態４に係る燃料噴射弁について説明する。図５は、実施の形態４に係る燃料噴射弁の断面図を示している。
実施の形態４に係る燃料噴射弁５０は、噴孔プレート５１に薄肉部５１ｃを設け、この薄肉部５１ｃを平坦面としている。そして、この平坦面にほぼ平行な平坦部１３ｃを弁体８の先端部に設け、この弁体８の先端部に設けた平坦部１３ｃの最外径φＤを、全噴孔１２におけるそれぞれの入口部の内接円より小さくしたものである。なお、その他の構成は実施の形態１と同様であり、同一符号を付すことにより、その説明を省略する。
【００３６】
実施の形態４に係る燃料噴射弁によれば、実施の形態２と同様の効果を得るとともに、低コストの燃料噴射弁が得られる。なお、低コストの燃料噴射弁が得られる理由は次のとおりである。
【００３７】
通常、噴孔プレートは低コスト化のため、次の工程により帯状のフープ材を順送りしながら製造している。
＜噴孔プレート製造工程＞
コイニング成形（フープ材）→噴孔加工（フープ材）
→噴孔部バリ取り（フープ材）→１枚のプレートとして切り出し
【００３８】
この製造工程において、フープ材の状態で実施の形態２、あるいは実施の形態４において説明した噴孔プレートの突部を形成すると、順送り時の送り性の低下や、噴孔部バリ取り時の作業性に問題が生じるため、１枚のプレートとして切り出す最終工程時に前記突部を形成する必要がある。しかし、コイニング成形機とは別に突部成形設備（例えば、プレス装置、金型）が必要となるため、噴孔プレートへの突部形成はコストアップになる。また、製造ラインの省スペース化のため、噴孔プレート製造ラインを並列化するとき、隣接の製造ラインにフープ材を流すため、一旦、フープ材を巻き取る必要があるが、前記突部があると、巻き取れない問題点もある。
【００３９】
これに対し、実施の形態４に示すように、噴孔プレートに突部を形成する代わりに、弁体８の先端部に平坦部１３ｃを設け構造の場合、噴孔１２の加工時に平坦部１３ｃを加工することが可能となる。従って、突部成形設備のような特別の設備を必要とせず、低コストの燃料噴射弁が得られることになる。
【００４０】
実施の形態５．
次に、この発明の実施の形態５に係る燃料噴射弁について説明する。実施の形態５に係る燃料噴射弁は、実施の形態１から実施の形態４において説明した噴孔プレートの薄肉部、およびテーパ面をコイニングにより成型したものである。
【００４１】
前記のように、噴孔プレートの薄肉部、およびテーパ面をコイニングにより成型することにより、噴孔の配置される部分がコイニングにより硬化し、プレスでの噴孔抜き性が向上するため、弁油密性を考慮して噴孔プレートの材料硬度を下げることが可能となり、噴霧、流量ばらつきの低減と弁油密性の向上が両立できる効果がある。
【００４２】
実施の形態６．
次に、この発明の実施の形態６に係る燃料噴射弁について説明する。図６は、実施の形態６に係る燃料噴射弁の断面図を示している。
実施の形態６に係る燃料噴射弁６０は、弁体８の先端部１３がボール形状に構成されており、ボール外周部に弁体８の軸心に対して平行な第１平面１３ｄと第１平面１３ｄに対して直交し、同じく弁体８の軸心に対して平行な第２平面１３ｅにより形成した複数の溝１３ｆにより燃料通路を構成したものである。なお、その他の構成は実施の形態３と同様であり、同一符号を付すことにより、その説明を省略する。
【００４３】
実施の形態６に係る燃料噴射弁によれば、円周方向に均一なシート流れを形成するのにより多くの燃料通路を容易に形成することが可能で、シート流れが噴孔入口へ突入する燃料噴射弁において、噴霧ばらつきを低減する効果がある。
【産業上の利用可能性】
【００４４】
この発明に係る燃料噴射弁は、自動車の内燃機関などへの燃料供給に使用される燃料噴射弁として利用できる。
【図面の簡単な説明】
【００４５】
【図１】この発明の実施の形態１に係る燃料噴射弁の断面図である。
【図２】この発明の実施の形態１に係る燃料噴射弁の先端部の詳細断面図である。
【図３】この発明の実施の形態２に係る燃料噴射弁の断面図を示す。
【図４】この発明の実施の形態３に係る燃料噴射弁の断面図である。
【図５】この発明の実施の形態４に係る燃料噴射弁の断面図である。
【図６】この発明の実施の形態６に係る燃料噴射弁の断面図である。
【図７】従来の燃料噴射弁の断面図である。
【符号の説明】
【００４６】
３０、４０、５０、６０  燃料噴射弁    ２  ソレノイド装置
３  ハウジング                        ４  コア
５  コイル                            ６  アマチュア
６ａ  アマチュアの側面                ６ｂ  アマチュアの上面
７  弁装置                            ８、７１  弁体
９  弁本体                            １０、７３  弁座
１０ａ、７４  弁座シート部            １１、３１、４１、５１、７２  噴孔プレート
１１ａ、１１ｂ  溶接部                １１ｃ、３１ｃ、４１ｃ、５１ｃ  薄肉部
１１ｄ  テーパ面                      １１ｅ  仮想円
１２、７０  噴孔                      １２ａ  噴孔壁
１２ｂ  噴孔の入口部の径方向内側      １２ｃ  噴孔の入口部の径方向外側
１３  ボール                          １３ａ  面取り部
１３ｂ  ガイド                    １３ｃ  平坦部
１３ｄ  第１平面                      １３ｅ  第２平面
１３ｆ  溝                            １４  圧縮ばね
１５  液膜                            １６  燃料の流れ
１７  空気                            １８  三日月状の液膜
１９  第１平行線                      ２０  第２平行線
３２、４３、７２ａ  突部            ４２  弁座軸
【図１】
2010077865.tif 000003
【図２】
2010077865.tif 000004
【図３】
2010077865.tif 000005
【図４】
2010077865.tif 000006
【図５】
2010077865.tif 000007
【図６】
2010077865.tif 000008
【図７】
2010077865.tif 000009